(57)【特許請求の範囲】
【請求項１】
複数の処理を実行する装置に備えられる操作装置であって、
前記操作装置は、
前記複数の処理の各々に対応し、前記複数の処理のうちのいずれかを選択するための複数の仮想キーが表示される第１の領域を含む表示画面を表示する表示手段と、
前記仮想キーに対する入力操作を受付ける受付手段と、
前記受付手段が前記入力操作を受付けたことに応答して、前記表示画面における前記第１の領域とは異なる第２の領域に対し、選択された処理の内容を示す画像を所定の状態で表示させる第１の表示制御手段と、を含み、
前記第１の表示制御手段は、前記選択された処理の内容を示す画像を動画表示させ、
前記第１の領域における前記仮想キーの近傍に、当該仮想キーに対応する処理の内容を示すアイコンを表示させる第２の表示制御手段をさらに含み、
前記選択された処理の内容を示す画像は、対応する処理の内容を示す前記アイコンが拡大された画像が最初の画像として動画表示される画像であり、
前記第２の表示制御手段は、前記受付手段が前記入力操作を受付けたことに応答して、前記アイコンを視覚的に認識しにくい所定の状態で表示させる表示変更手段を含む、操作装置。
【請求項２】
前記操作装置はさらに、
前記選択された処理に対して所定の処理を追加する追加手段と、
前記追加された処理の内容を、前記選択された処理の内容を示す画像に対して反映させる反映手段と、を含む、請求項１に記載の操作装置。
【請求項３】
前記複数の処理は、片面原稿からの片面コピーを行なう片面／片面コピー処理、片面原稿からの両面コピーを行なう片面／両面コピー処理、両面原稿からの両面コピーを行なう両面／両面コピー処理、及び、両面原稿からの片面コピーを行なう両面／片面コピー処理を含む、請求項１又は請求項２に記載の操作装置。
【請求項４】
前記第１の表示制御手段は、前記受付手段が前記片面／両面コピー処理に対応する仮想キーに対する入力操作を受付けたことに応答して、前記第２の領域に対し、前記選択された処理の内容を示す画像として、記録用紙の両面に印刷される画像の状態を示す画像を、所定の状態で表示させる、請求項３に記載の操作装置。
【請求項５】
前記第１の表示制御手段は、前記受付手段が前記両面／片面コピー処理に対応する仮想キーに対する入力操作を受付けたことに応答して、前記第２の領域に対し、前記選択された処理の内容を示す画像として、１枚の両面原稿における２つの画像が、２枚の記録用紙の片面にそれぞれ印刷される状態を示す画像を、所定の状態で表示させる、請求項３または請求項４に記載の操作装置。
【請求項６】
前記第２の領域は、前記第１の領域の近傍に設けられる、請求項１から請求項５のいずれか１つに記載の操作装置。
【請求項７】
画像データに対する画像処理を含む複数の処理を実行する画像形成装置であって、
請求項１から請求項６のいずれか１つに記載の操作装置と、
前記操作装置にて選択された処理を実行する処理実行手段と、を含む、画像形成装置。
【発明の詳細な説明】
【技術分野】
【０００１】
本発明は、操作装置及び画像処理装置に関し、特には、処理の内容を示す画像を表示する技術に関する。
【背景技術】
【０００２】
従来、片面原稿からの片面コピー（以下「片面／片面コピー」と記す。）の他に、片面原稿からの両面コピー（以下「片面／両面コピー」と記す。）、両面原稿からの両面コピー（以下「両面／両面コピー」と記す。）、及び、両面原稿からの片面コピー（以下「両面／片面コピー」と記す。）等の両面コピーを実行できる画像形成装置が知られている。このような画像形成装置において、両面コピーにおける上記した各処理内容をアイコンにて示す技術が知られている。
【０００３】
例えば、後掲の特許文献１には、タッチパネルに表示される両面印刷の設定画面に、片面／片面キー、片面／両面キー、両面／両面キー、及び、両面／片面キーとともに、これらのキーに対応する処理の内容を示すアイコンを表示させる画像形成装置が開示されている。
【０００４】
また後掲の特許文献２には、操作表示部に表示される基本画面のアイコン表示領域に、両面原稿に関する条件の設定状態を表す原稿アイコン、及び、両面印字出力に関する条件の設定状態を表す出力アイコンを、双方のアイコンを関連付ける矢印とともに表示させる画像形成装置が開示されている。
【先行技術文献】
【特許文献】
【０００５】
【特許文献１】特開２０１０−３４６９１号公報
【特許文献２】特開２００７−３２９５３５号公報
【発明の概要】
【発明が解決しようとする課題】
【０００６】
特許文献１及び特許文献２に開示される技術では、両面コピーの各処理内容をアイコン表示している。しかし、このようなアイコン表示のみでは、両面／片面コピー、及び、片面／両面コピーの処理内容は、ユーザにとって理解しにくいという問題がある。
【０００７】
本発明の目的は、処理の内容をユーザが容易に理解できる操作装置及び画像形成装置を提供することである。
【課題を解決するための手段】
【０００８】
本発明の第１の局面に係る操作装置は、複数の処理を実行する装置に備えられる操作装置である。この操作装置は、複数の処理の各々に対応し、複数の処理のうちのいずれかを選択するための複数の仮想キーが表示される第１の領域を含む表示画面を表示する表示手段と、仮想キーに対する入力操作を受付ける受付手段と、受付手段が入力操作を受付けたことに応答して、表示画面における第１の領域とは異なる第２の領域に対し、選択された処理の内容を示す画像を所定の状態で表示させる第１の表示制御手段と、を含む。
【０００９】
このように、複数の処理のうちのいずれかが選択された場合に、複数の仮想キーが表示される第１の領域とは異なる第２の領域に対し、選択された処理の内容を示す画像が所定の状態で表示されるので、ユーザは、選択された処理の内容を容易に理解することができる。
【００１０】
好ましくは、第１の表示制御手段は、選択された処理の内容を示す画像を動画表示させる。これによって、選択された処理の内容が詳細に表示されるので、ユーザは、選択された処理の内容をより一層容易に理解することができる。
【００１１】
より好ましくは、操作装置はさらに、第１の領域における仮想キーの近傍に、当該仮想キーに対応する処理の内容を示すアイコンを表示させる第２の表示制御手段を含む。これによって、ユーザは、アイコンを確認することで、所望の処理を選択する前に、仮想キーに対応する処理の内容を確認することができる。したがって、ユーザの利便性が向上する。
【００１２】
さらに好ましくは、選択された処理の内容を示す画像は、対応する処理の内容を示すアイコンが拡大された画像を含む。これによって、選択された処理の内容がより判りやすくなるので、ユーザは、選択された処理の内容をより一層容易に理解することができる。
【００１３】
さらに好ましくは、第２の表示制御手段は、受付手段が入力操作を受付けたことに応答して、アイコンを視覚的に認識しにくい所定の状態で表示させる表示変更手段を含む。これによって、複数の処理のうちのいずれかが選択された場合には、ユーザは、アイコンではなく、所定の状態で表示される、選択された処理の内容を示す画像に注目しやすくなる。したがって、ユーザは、選択された処理の内容をより一層理解しやすくなる。
【００１４】
さらに好ましくは、操作装置はさらに、選択された処理に対して所定の処理を追加する追加手段と、追加された処理の内容を、選択された処理の内容を示す画像に対して反映させる反映手段と、を含む。これによって、ユーザは追加された処理の内容を容易に理解することができる。したがって、ユーザの利便性がさらに向上する。
【００１５】
さらに好ましくは、複数の処理は、片面原稿からの片面コピーを行なう片面／片面コピー処理、片面原稿からの両面コピーを行なう片面／両面コピー処理、両面原稿からの両面コピーを行なう両面／両面コピー処理、及び、両面原稿からの片面コピーを行なう両面／片面コピー処理を含む。これによって、ユーザは、上記した各処理の内容を容易に理解することができる。
【００１６】
さらに好ましくは、第１の表示制御手段は、受付手段が片面／両面コピー処理に対応する仮想キーに対する入力操作を受付けたことに応答して、第２の領域に対し、選択された処理の内容を示す画像として、記録用紙の両面に印刷される画像の状態を示す画像を、所定の状態で表示させる。これによって、ユーザは、アイコン表示では理解しにくい片面／両面コピー処理の内容を、容易に理解することができるようになる。その結果、ユーザの利便性がさらに向上する。
【００１７】
さらに好ましくは、第１の表示制御手段は、受付手段が両面／片面コピー処理に対応する仮想キーに対する入力操作を受付けたことに応答して、第２の領域に対し、選択された処理の内容を示す画像として、１枚の両面原稿における２つの画像が、２枚の記録用紙の片面にそれぞれ印刷される状態を示す画像を、所定の状態で表示させる。これによって、ユーザは、アイコン表示では理解しにくい両面／片面コピー処理の内容を、容易に理解することができるようになる。その結果、ユーザの利便性がさらに向上する。
【００１８】
さらに好ましくは、第２の領域は、第１の領域の近傍に設けられる。これによって、ユーザは、選択された処理の内容を示す画像をより一層認識しやすくなる。
【００１９】
本発明の第２の局面に係る画像形成装置は、画像データに対する画像処理を含む複数の処理を実行する画像形成装置であって、上記した操作装置と、操作装置にて選択された処理を実行する処理実行手段と、を含む。このように、画像形成装置は、上記した操作装置を含むので、ユーザによって所望の処理とは異なる処理が誤って選択されることを防ぐことができ、ユーザは、所望の処理を容易に実行させることができる。
【発明の効果】
【００２０】
本発明によれば、複数の処理のうちのいずれかが選択された場合に、複数の仮想キーが表示される第１の領域とは異なる第２の領域に対し、選択された処理の内容を示す画像が所定の状態で表示されるので、ユーザは、選択された処理の内容を容易に理解することができる。
【図面の簡単な説明】
【００２１】
【図１】本発明の一実施の形態に係る画像形成装置の外観構成を示す図である。
【図２】図１に示す画像形成装置の内部構成を簡略化して示す図である。
【図３】図１に示す画像形成装置の電気的構成を示すブロック図である。
【図４】基本動作モードの基本画面の基本レイアウト構成を示す図である。
【図５】コピーモード基本画面の一例を示す図である。
【図６】両面コピー設定画面の一例を示す図である。
【図７】両面コピー設定処理を実現するためのコンピュータプログラムの制御構造をフローチャート形式で示す図である。
【図８】片面／両面キーが押下されたときの、両面コピー設定画面の状態の一例を示す図である。
【図９】横綴じ用の片面／両面コピー用アニメーション画像の動画表示の様子を示す図である。
【図１０】片面／両面キーが押下されたときの、両面コピー設定画面の状態の一例を示す図である。
【図１１】横綴じ用の片面／両面コピー及び１８０度回転コピー用アニメーション画像の動画表示の様子を示す図である。
【図１２】両面／片面キーが押下されたときの、両面コピー設定画面の状態の一例を示す図である。
【図１３】横綴じ用の両面／片面コピー用アニメーション画像の動画表示の様子を示す図である。
【図１４】両面／片面キーが押下されたときの、両面コピー設定画面の状態の一例を示す図である。
【図１５】横綴じ用の両面／片面コピー及び１８０度回転コピー用アニメーション画像の動画表示の様子を示す図である。
【図１６】縦綴じ用の片面／両面コピー及び１８０度回転コピー用アニメーション画像の動画表示の様子を示す図である。
【発明を実施するための形態】
【００２２】
以下の説明及び図面においては、同一の部品には同一の参照符号及び名称を付してある。それらの機能も同様である。したがって、それらについての詳細な説明は繰返さない。
【００２３】
［画像形成装置１００］  
図１〜図３を参照して、本発明の一実施の形態に係る画像形成装置１００は、スキャナ機能、コピー機能、及び、ファクシミリ（以下「ＦＡＸ」と記す。）機能等を備えるＭＦＰ（Ｍｕｌｔｉｆｕｎｃｔｉｏｎ  Ｐｒｉｎｔｅｒ）である。画像形成装置１００は、ユーザによって、スキャナモード、コピーモード及びＦＡＸモード等を含む各種動作モードのうちのいずれかが選択されると、選択された動作モードに対応する各種処理を実行する。
【００２４】
〈ハードウェア構成〉  
［画像形成装置１００の操作ユニット１２０］  
図１及び図３を参照して、画像形成装置１００は、操作ユニット１２０を含む。操作ユニット１２０は、画像形成装置１００の上部正面側に、ユーザが目視しやすいように傾斜して設けられる板状の操作パネルである。操作ユニット１２０は、操作ユニット１２０表面の中央部から左側領域にかけて配置されるタッチパネルディスプレイ１３０と、操作ユニット１２０表面の右側領域に配置される表示操作部１４０と、を含む。タッチパネルディスプレイ１３０と表示操作部１４０とは一つの筐体に保持され、操作ユニット１２０は全体として一体となるように構成される。操作ユニット１２０は、入出力インターフェイス（図示せず。）を介して、後述するＣＰＵ（Ｃｅｎｔｒａｌ  Ｐｒｏｃｅｓｓｉｎｇ  Ｕｎｉｔ）３００と通信を行なう。
【００２５】
タッチパネルディスプレイ１３０は、表示パネル１３２と、タッチパネル１３４とが重ねて構成されるタッチパネル一体型液晶表示装置である。表示パネル１３２には、例えば、画像形成装置１００が実行可能な各種動作モードから所望の動作モードを選択するためのホーム画面、及び、基本動作モードにおける各種機能の設定変更等を行なうための基本画面が表示される。ここで、基本動作モードとは、画像データの印刷処理及び送信処理等の画像処理を実行する動作モードのことであり、本実施の形態では、コピーモード、ＦＡＸモード、及び、スキャナモードを示す。タッチパネルディスプレイ１３０の動作はＣＰＵ３００によって制御される。例えば、表示パネル１３２に表示される画面にはソフトウェアキーが表示される。このソフトウェアキーをユーザが指で押下すると、タッチパネル１３４がその押下された位置を検出する。ＣＰＵ３００は、プログラム上でソフトウェアキーの表示位置とタッチパネル１３４が押された位置とを照合し、その照合結果に基づいて、動作モードの選択、各種機能の設定変更、及び、動作指示等を行なう。タッチパネルディスプレイ１３０のサイズ及び形状としては、特に限定されないが、例えば、１０２４ピクセル×６００ピクセルの横長の長方形状のもの等を使用できる。
【００２６】
表示操作部１４０は、表示灯１４２、並びに、電源キー１４４、省エネルギーキー（以下「省エネキー」と記す。）１４６、及びホームキー１４８等の各種ハードウェアキーを含む。表示灯１４２は、例えばＬＥＤ（Ｌｉｇｈｔ  Ｅｍｉｔｔｉｎｇ  Ｄｉｏｄｅ）を備え、画像形成装置１００が電源オンであるときに点灯する。電源キー１４４は、画像形成装置１００の電源のオン・オフを行なうためのキーである。
【００２７】
省エネキー１４６は、通常モードから省エネモードへの移行指示又は省エネモードから通常モードへの移行指示を行なうためのキーである。なお、省エネモードへの移行は、省エネキー１４６が押下された場合だけでなく、ユーザによる入力操作がない状態で所定時間が経過した場合においても実行される。ここで、通常モードとは、電源がオンの状態であって、全ての動作モードが実行可能な状態を示す。省エネモードとは、電源がオンの状態であって、一部の動作モードのみが実行可能な状態を示す。
【００２８】
ホームキー１４８は、ホーム画面（図示せず。）への移行指示を行なうためのキーである。ユーザによってホームキー１４８が押下されると、表示パネル１３２には、上記した基本動作モードを選択するためのソフトウェアキーを含むホーム画面（図示せず。）が表示される。
【００２９】
上記したホーム画面等に表示される、基本動作モードを選択するためのソフトウェアキーのうちのいずれかがユーザによって押下されると、表示パネル１３２には、選択された基本動作モードの基本画面が表示される。
【００３０】
［基本動作モードの基本画面］  
以下、基本動作モードの基本画面の基本レイアウト構成を説明する。図４を参照して、基本動作モードの基本画面は、システム領域１０００、機能設定／確認領域（以下「機能選択領域」と記す。）２０００、プレビュー領域３０００、アクションパネル領域４０００、及び、タスクトリガー領域５０００を含む５つの領域からなる。これらの５つの領域は、基本レイアウトに従って以下のように配置される。すなわち、システム領域１０００は基本画面の最上部に配置される。プレビュー領域３０００は基本画面の中央部に配置される。機能選択領域２０００は、基本画面においてプレビュー領域３０００に対して左側に配置される。アクションパネル領域４０００は、基本画面においてプレビュー領域３０００に対して右側上部に配置される。タクストリガー領域５０００は、基本画面においてプレビュー領域３０００に対して右側下部に配置される。上記した各種動作モードの基本画面を構成する５つの領域及び基本レイアウトは、全ての動作モードにおいて共通する。以下に、上記した基本動作モードの基本画面の一例として、コピーモードの基本画面について説明する。
【００３１】
［コピーモード基本画面６０００］  
図５を参照して、コピーモード基本画面６０００のシステム領域１０００には、コピーモードであることを示す「コピー」という文字列１１０２、及び、ログアウトを実行するためのログアウトキー１１０４等が表示される。このログアウトキー１１０４には、ログイン中のユーザ名が表示される。システム領域１０００にはさらに、現在のジョブ状況を示す領域１１０６が設けられ、この領域１１０６には、例えば、現在コピー処理を実行中であることを示すアイコン及び現在処理を停止中であることを示すアイコン（以上いずれも図示せず。）等が表示される。
【００３２】
コピーモード基本画面６０００の機能選択領域２０００には、コピーモードを実行するための各種機能の設定変更を行なうための各種設定キーが表示される。本実施の形態では、各種設定キーとして、コピー部数を変更するためのキー２１００、カラーモードを切替えるためのキー２１０２、コピー濃度を変更するためのキー２１０４、コピー倍率を変更するためのキー２１０６、原稿のサイズ等を変更するためのキー２１０８、使用する記録用紙のサイズ等を変更するためのキー２１１０、両面コピー機能を設定するためのキー２１１２、及び、ステープル機能を設定するためのキー２１１４が表示される。上記したキー２１０２〜２１１４には、各キーに対応する機能を表す簡単な絵柄と文字列とが表示される。例えば、キー２１００には、コピー部数の変更機能を表す絵柄と、「部数」という文字列と、設定されたコピー部数を示す数値と、が表示される。ユーザによってキー２１０２〜２１１４のいずれかがタッチされた場合には、表示パネル１３２には、押下されたキーに対応する設定画面（例えば、コピー部数設定画面、濃度設定画面、倍率設定画面、及び原稿設定画面（以上いずれも図示せず。）等）が表示される。本実施の形態において、機能選択領域２０００にはさらに、綴じ方向を設定するための綴じ方向設定キー（図示せず。）が表示される。ここで、綴じ方向とは、出力される両面印刷物の見開き方向（縦方向又は横方向）を示す。ユーザは、この綴じ方向設定キーを押下することで、表示パネル１３２に対し、綴じ方向を設定するための綴じ方向設定画面を表示させることができる。なお、ユーザによって綴じ方向の設定変更が行なわれない場合には、デフォルト設定として、横綴じが設定されるものとする。
【００３３】
機能選択領域２０００における上記した各種設定キー２１００〜２１１４の下方には、各種設定キー２１００〜２１１４の表示スタイルを変更するための変更キー２０１２〜２０１６が表示される。変更キー２０１２は、予め「お気に入り」登録された機能に関する設定キーのみを表示させるためのキーである。変更キー２０１４は、設定変更された機能に関する設定キーのみを表示させるためのキーである。変更キー２０１６は、対応する動作モードにおいて、設定変更可能な全ての機能に関する設定キーを表示させるためのキーである。本実施の形態では、変更キー２０１６が選択され、機能選択領域２０００には、コピーモードにおいて設定変更可能な全ての機能に関する設定キーが表示されるものとする。
【００３４】
なお、機能選択領域２０００において、表示対象の全ての設定キーを表示しきれない場合には、各種設定キーは上下方向にスクロール可能に表示される。このとき、変更キー２０１２〜２０１６の表示位置は固定されたままである。ユーザは、フリック操作（表示部分を所定方向に向けて指で軽く払う操作）等によって、各種設定キーの表示部分を上下方向にスクロールさせることができる。
【００３５】
コピーモード基本画面６０００のプレビュー領域３０００には、画像形成装置１００全体の現在の状況を示すミミック画像３１０２が表示される。ユーザは、このミミック画像３１０４に対してタッチ操作（表示部分を指で押下する操作）を行なうことで、表示パネル１３２に対し、用紙設定画面を表示させることができる。なお、プレビュー領域３０００には、後述するスキャンイン処理の実行時には、原稿読取部１０２によって読取られたスキャンデータに基づくプレビュー画像が表示される。
【００３６】
コピーモード基本画面６０００のアクションパネル領域４０００には、コピーモードにおけるおすすめ機能を実行するための各種実行キーが表示される。ここで、おすすめ機能とは、ユーザによって選択された機能と過去に組合せて選択されたことのある機能のことを示す。本実施の形態では、上記各種実行キーとして、使用する記録用紙に合わせてコピー倍率を自動的に選択するためのキー４１０２、現在の設定条件（ジョブプログラム）の登録を実行するためのキー４１０４、画像データのファイリングを実行するためのキー４１０６、コピー処理と同時に画像データの送信を実行するためのキー４１０８、セクションの挿入を実行するためのキー４１１０、セクションの削除を実行するためのキー４１１２、及び、スキャンイン処理の内容を示す画面を表示させるためのキー４１１４が表示される。
【００３７】
コピーモード基本画面６０００のタスクトリガー領域５０００には、スキャンインキー５１０２、クリアオールキー５１０４、モノクロスタートキー５１０６、及び、カラースタートキー５１０８が表示される。スキャンインキー５１０２は、原稿をスキャンし、得られたスキャンデータに基づくプレビュー画像をプレビュー領域３０００に表示させるスキャンイン処理の実行を開始するためのキーである。クリアオールキー５１０４は、設定変更された機能及びパラメータ等を全てキャンセルし、設定をデフォルト状態へ戻すためのキーである。モノクロスタートキー５１０６は、原稿をスキャンし、得られた画像データ（又はスキャンイン処理によって得られたスキャンデータ）に基づくモノクロコピー処理の実行を開始するためのキーである。カラースタートキー５１０８は、原稿をスキャンし、得られた画像データ（又はスキャンイン処理によって得られたスキャンデータ）に基づくカラーコピー処理の実行を開始するためのキーである。上記したように、本明細書では、スキャンイン処理によってスキャンされた画像データのことをスキャンデータと記すことで、他の画像データと区別する。
【００３８】
上記したコピーモード基本画面６０００の機能選択領域２０００に表示される、両面コピー機能を設定するためのキー２１１２がユーザによって押下されると、コピーモード基本画面６０００の前面には、両面コピー設定画面が表示される。以下に、両面コピー設定画面の一例について説明する。
【００３９】
［両面コピー設定画面７０００］  
図６を参照して、両面コピー設定画面７０００には、片面／片面コピーを設定するための片面／片面キー７１００、片面／両面コピーを設定するための片面／両面キー７１０２、両面／両面コピーを設定するための両面／両面キー７１０４、及び、両面／片面コピーを設定するための両面／片面キー７１０６が表示される。以下、これらのキーを総称して、「両面コピー設定キー」と記す場合がある。両面コピー設定キー７１００〜７１０６には、各キーに対応する設定内容を示す文字列と、仮想表示灯７３００〜７３０６とがそれぞれ表示される。仮想表示灯７３００〜７３０６は、対応する両面コピー設定キー７１００〜７１０６が選択された状態にある場合には黄色に表示され（すなわち、点灯される。）、選択されていない状態にある場合には黒色に表示される（すなわち、消灯される。）。両面コピー設定キー７１００〜７１０６の近傍には、各キーに対応する設定内容を表す簡単な絵柄がアイコン７２００〜７２０６として表示される。以下、上記した両面コピー設定キー７１００〜７１０６及びアイコン７２００〜７２０６が表示される領域を「静止画表示領域」と記す。
【００４０】
両面コピー設定画面７０００にはさらに、裏面画像の向きを１８０度回転させて印刷する１８０度回転コピーを設定するためのチェックボックス７４００と、両面コピー設定画面７０００を閉じるための閉じるボタン７４０２と、が表示される。ユーザによってチェックボックス７４００がチェックされると、チェックボックス７４００には、チェックマークが表示される。両面コピー設定画面７０００にはさらに、片面／両面コピー及び両面／片面コピー等の一部の設定内容を詳細に示すためのアニメーション画像を動画表示するための動画表示領域７５００が設けられる。この動画表示領域７５００は、静止画表示領域の近傍（本実施の形態では、隣接する位置）に設けられる。これによって、アニメーション画像は、両面コピー設定キー７１００〜７１０６及びアイコン７２００〜７２０６の近く、すなわち、ユーザが認識しやすい場所に表示される。
【００４１】
なお、ユーザによって両面コピー機能の設定変更が行なわれない場合には、デフォルト設定として、片面／片面コピーが設定されるものとする。
【００４２】
［画像形成装置１００の全体構成］  
図１〜図３を参照して、画像形成装置１００は、上記した操作ユニット１２０に加えて、原稿読取部１０２、画像形成部１０４、給紙部１０６、及び、排紙処理装置１０８を含む。以下、コピーモード及びＦＡＸモードにおける動作を説明することによって、画像形成装置１００全体のハードウェア構成の説明とする。
【００４３】
−コピーモード−  
本実施の形態において、コピーモードでは、主として、原稿読取部１０２及び画像形成部１０４が動作することによって、スキャンイン処理、モノクロコピー処理、及び、カラーコピー処理のうちのいずれかが実行される。
【００４４】
（スキャンイン処理）  
ホーム画面等に対するユーザの入力操作によってコピーモードが選択された後、スキャンインキー２５０２がタッチされると、手動又はＡＤＦ（Ａｕｔｏ  Ｄｏｃｕｍｅｎｔ  Ｆｅｅｄｅｒ）によって原稿載置台に載置された原稿は原稿読取部１０２によってスキャンデータとして読取られる。読取られたスキャンデータは、ＣＰＵ３００に入力される。ＣＰＵ３００は、入力されたスキャンデータに対して各種画像処理を施した後、コピーモード基本画面６０００のプレビュー領域２３００等に対し、スキャンデータに基づくプレビュー画像を表示させる。このとき、スキャンデータは、記憶装置（例えば、図３に示すＲＡＭ（Ｒａｎｄｏｍ  Ａｃｃｅｓｓ  Ｍｅｍｏｒｙ）３０８）に一時的に記憶される。
【００４５】
（通常のモノクロコピー処理及びカラーコピー処理）  
ホーム画面等に対するユーザの入力操作によってコピーモードが選択された後、上記したスキャンイン処理が行なわれていない状態で、モノクロスタートキー２５０６又はカラースタートキー２５０８がタッチされると、手動又はＡＤＦによって原稿載置台に載置された原稿が原稿読取部１０２によって画像データとして読取られる。読取られた画像データは、図３に示すマイクロコンピュータ等から構成されるＣＰＵ３００に入力され、ここで各種の画像処理が施された後、画像形成部１０４に対して出力される。
【００４６】
画像形成部１０４は、画像データに基づいて原稿画像を記録媒体（多くの場合、記録用紙）に印刷する。画像形成部１０４は、感光体ドラム２２２、帯電装置２２４、レーザスキャンユニット（以下、「ＬＳＵ」と記す。）２２６、現像装置２２８、転写装置２３０、クリーニング装置２３２、定着装置２３４、及び図示しない除電装置等を含む。
【００４７】
画像形成部１０４には、主搬送路２３６及び反転搬送路２３８が設けられる。給紙部１０６は、用紙カセット２４０に収納される記録用紙、又は手差トレイ２４２に載置される記録用紙を１枚ずつ引出し、引出した記録用紙を画像形成部１０４の主搬送路２３６に向けて送り出す。給紙部１０６から給紙された記録用紙は、主搬送路２３６に沿って搬送される。
【００４８】
主搬送路２３６に沿って記録用紙が搬送される途中において、記録用紙は感光体ドラム２２２と転写装置２３０との間を通過し、さらに定着装置２３４を通過する。この過程において、記録用紙に対する原稿画像の印刷が行なわれる。
【００４９】
感光体ドラム２２２は、一方向に回転する。感光体ドラム２２２の表面は、クリーニング装置２３２と除電装置とによりクリーニングされた後、帯電装置２２４により均一に帯電される。
【００５０】
ＬＳＵ２２６は、印刷対象の画像データに基づいてレーザ光を変調する。そして、このレーザ光によって感光体ドラム２２２の表面を主走査方向に繰返し走査することで、静電潜像を感光体ドラム２２２の表面に形成する。
【００５１】
現像装置２２８は、トナーを感光体ドラム２２２の表面に供給して静電潜像を現像する。これによって、トナー像が感光体ドラム２２２の表面に形成される。モノクロコピー処理が実行される場合には、現像装置２２８は、モノクロトナーを供給する。カラーコピー処理が実行される場合には、現像装置２２８は、イエロー（Ｙ）、マゼンタ（Ｍ）、シアン（Ｃ）、及びブラック（Ｋ）からなるカラートナーを供給する。
【００５２】
転写装置２３０は、当該転写装置２３０と感光体ドラム２２２との間を通過する記録用紙に対し、感光体ドラム２２２の表面に形成されたトナー像を転写する。
【００５３】
定着装置２３４は、記録用紙を加熱するための加熱ローラ２４８と、記録用紙を加圧するための加圧ローラ２５０とを含む。記録用紙上に転写されたトナー像は、加熱ローラ２４８によって加熱され、かつ、加圧ローラ２５０によって加圧されることによって、記録用紙に定着される。加熱ローラ２４８の温度は、定着装置２３４へ供給される電力によって、例えば加熱ローラ２４８内部に設けられるヒータを温めることで、定着に適した温度になるように制御されている。
【００５４】
主搬送路２３６と反転搬送路２３８との接続位置には、分岐爪２４４が配設されている。記録用紙の片面のみに原稿画像の印刷を行なう場合には、分岐爪２４４が位置決めされ、この分岐爪２４４により定着装置２３４から搬送される記録用紙が排紙トレイ２４６又は排紙処理装置１０８の方へと導かれる。
【００５５】
記録用紙の両面に原稿画像の印刷を行なう場合には、分岐爪２４４が所定方向に回動され、この分岐爪２４４により定着装置２３４から搬送される記録用紙が反転搬送路２３８の方へと導かれる。記録用紙は、反転搬送路２３８を通過して、その表裏を反転された状態で主搬送路２３６へと再び搬送される。主搬送路２３６における再度の搬送途中において、記録用紙の裏面への原稿画像の印刷が行なわれる。印刷が行なわれた記録用紙は、排紙トレイ２４６又は排紙処理装置１０８の方へと導かれる。
【００５６】
上述のようにして原稿画像が印刷された記録用紙は、排紙トレイ２４６又は排紙処理装置１０８の方へと導かれて、排紙トレイ２４６に排出されるか、又は、排紙処理装置１０８の各排紙トレイ１１０のいずれかに排出される。
【００５７】
排紙処理装置１０８では、複数の記録用紙を各排紙トレイ１１０に仕分けして排出する処理、記録用紙にパンチングする処理、及び、記録用紙にステープルする処理等を施す。排紙処理装置１０８は、例えば、複数部の印刷物を作成する場合には、各排紙トレイ１１０に印刷物の一部ずつが割り当てられるように、記録用紙を各排紙トレイ１１０に仕分けして排出し、排紙トレイ１１０毎に、排紙トレイ１１０上の記録用紙にパンチング処理又はステープル処理を施して印刷物を作成する。
【００５８】
（スキャンイン処理後のモノクロコピー処理及びカラーコピー処理）  
ホーム画面にてコピーモードが選択され、上記したスキャンイン処理が行なわれた後で、モノクロスタートキー２５０６又はカラースタートキー２５０８がタッチされる場合がある。この場合には、上記した原稿画像のスキャン及び画像データに対する画像処理は行なわれず、画像形成部１０４は、スキャンイン処理時に読取られ、記憶装置に一時的に記憶されるスキャンデータに基づいて、上記と同様にして画像形成処理を行なう。
【００５９】
−ＦＡＸモード−  
本実施の形態において、ＦＡＸモードでは、原稿読取部１０２及び図３に示すＦＡＸ通信部１６０が動作することによって、スキャンイン処理及びＦＡＸ送信処理が実行される。また、ＦＡＸ通信部１６０が動作することによって、ＦＡＸ通信処理が実行される。さらに、ＦＡＸ通信部１６０及び画像形成部１０４が動作することによって、ＦＡＸ受信処理が実行される。
【００６０】
（スキャンイン処理）  
ホーム画面にてＦＡＸモードが選択された後、ＦＡＸモードの基本画面（図示せず。）に表示されるスキャンインキー（図示せず。）がタッチされると、手動又はＡＤＦによって原稿載置台に載置された原稿は原稿読取部１０２によってスキャンデータとして読取られる。読取られたスキャンデータは、ＣＰＵ３００に入力される。ＣＰＵ３００は、入力されたスキャンデータに対して各種画像処理を施した後、ＦＡＸモードの基本画面（図示せず。）のプレビュー領域２３００に対し、スキャンデータに基づくプレビュー画像を表示させる。このとき、スキャンデータは、記憶装置（例えば、図３に示すＲＡＭ３０８）に一時的に記憶される。
【００６１】
（通常のＦＡＸ送信処理）  
ホーム画面にてＦＡＸモードが選択された後、スキャンイン処理が行なわれていない状態で、ＦＡＸモードの基本画面（図示せず。）に表示されるスタートキー（図示せず。）がタッチされると、手動又はＡＤＦによって原稿載置台に載置された原稿は原稿読取部１０２によって画像データとして読取られる。読取られた画像データは、ＣＰＵ３００に入力され、ここで各種の画像処理が施された後、ＦＡＸ通信部１６０に対して出力される。
【００６２】
一方、ホーム画面にてＦＡＸモードが選択され、上記したスキャンイン処理が行なわれた後で、スタートキー（図示せず。）がタッチされる場合がある。この場合には、上記した原稿画像のスキャン及び画像データに対する画像処理は行なわれず、スキャンイン処理時に読取られ、記憶装置に一時的に記憶されるスキャンデータが、ＦＡＸ通信部１６０に対して出力される。
【００６３】
送信側の画像形成装置１００のＦＡＸ通信部１６０は、送信側の回線を指定された送信先に接続し、入力された画像データ又はスキャンデータをファクシミリ通信規格に合致した通信データへ変換して、受信側のファクシミリ装置（例えばファクシミリ機能を備えた画像形成装置１００）に対して送信する。
【００６４】
（ＦＡＸ通信処理）  
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側及び受信側で互いに実装されている能力情報の受渡しを行ない、利用可能な最大能力での通信速度及び画像データの符号化／符号訂正方式等を決定してモデムの通信方式を設定する。この通信方式にあわせた画像信号形式を用いて、送信側の画像形成装置１００のＦＡＸ通信部１６０から受信側の画像形成装置１００のＦＡＸ通信部１６０へとデータが送信される。送信が終了すると回線が切断される。
【００６５】
（ＦＡＸ受信処理）  
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同様にして、受信したデータから変換された画像データに基づく画像を記録用紙に印刷する。
【００６６】
〈電気的構成〉  
図３を参照して、画像形成装置１００は、操作ユニット１２０と、プログラム等を記憶するためのＲＯＭ（Ｒｅａｄ  Ｏｎｌｙ  Ｍｅｍｏｒｙ）３０６と、通電が遮断された場合であってもプログラム及びデータ等を記憶可能な不揮発性記憶領域を提供するハードディスクを含むＨＤＤ（Ｈａｒｄ  Ｄｉｓｋ  Ｄｒｉｖｅ）３０２と、プログラムを実行する際に記憶領域を提供するＲＡＭ３０８と、を含む。
【００６７】
画像形成装置１００はさらに、原稿読取部１０２、画像形成部１０４、ＦＡＸ通信部１６０、操作ユニット１２０、ＨＤＤ３０２、ＲＯＭ３０６、ＲＡＭ３０８、及び、ネットワークインターフェイス（以下「ネットワークＩ／Ｆ」と記す。）３０４に接続されるバス３１０と、バス３１０に接続され、上記した各部を制御して画像形成装置としての一般的機能を実現するためのＣＰＵ３００と、を含む。
【００６８】
ＨＤＤ３０２には、原稿読取部１０２にてスキャンされた画像データ等の各種データが記憶される。ＨＤＤ３０２にはさらに、片面／両面コピー用のアニメーション画像、両面／片面コピー用のアニメーション画像、片面／両面コピー及び１８０度回転コピー用のアニメーション画像、及び、両面／片面コピー及び１８０度回転コピー用のアニメーション画像を、それぞれ、縦綴じ用及び横綴じ用の二種類ずつ記憶する。すなわち、ＨＤＤ３０２には、合計８種類のアニメーション画像が記憶される。これらのアニメーション画像の詳細については後述する。
【００６９】
ＲＯＭ３０６には、画像形成装置１００の一般的な動作を実現するためのコンピュータプログラムとともに、後述する両面コピー設定処理を実現するためのコンピュータプログラムが記憶される。ＲＯＭ３０６にはさらに、各種基本動作モードの基本画面を表示するための基本画面データ、及び、各種設定画面を表示するための設定画面データが記憶される。
【００７０】
ＲＡＭ３０８は、ＣＰＵ３００による演算及び処理の結果を一時的に記憶するワーキングメモリとしての機能と、画像データを記憶するフレームメモリとしての機能とを提供する。ＣＰＵ３００は、ＲＯＭ３０６に格納されているコンピュータプログラムに従って画像形成装置１００の各機能に関する制御を実行する。すなわち、原稿読取部１０２、画像形成部１０４、操作ユニット１２０のタッチパネルディスプレイ１３０及び表示操作部１４０、ＨＤＤ３０２、ＲＯＭ３０６、並びに、ＲＡＭ３０８等の各部に対する制御は、ＣＰＵ３００が所定のコンピュータプログラムを実行することによって実現される。
【００７１】
図３を参照して、画像形成装置１００のＦＡＸ通信部１６０には、画像データの送受信用に公衆回線が接続され、ネットワークＩ／Ｆ３０４には、ネットワーク回線が接続される。このネットワーク回線には、画像形成装置１００をネットワーク対応のプリンタとして使用するコンピュータが接続されたり、インターネットを介して指定されたＵＲＬにより特定されるコンピュータが接続されたりする。このようにネットワーク回線を通じてインターネットに接続される画像形成装置１００は、インターネットを介して、外部装置から必要な情報を取得することができる。
【００７２】
〈ソフトウェア構成〉  
（両面コピー設定処理）  
両面コピー設定処理を実現するためのプログラムは、コピーモード基本画面６０００の機能選択領域２０００に表示される、両面コピー機能を設定するためのキー２１１２が押下されることによって起動される。
【００７３】
図７を参照して、このプログラムは、コピーモード基本画面６０００の前面に、両面コピー機能を設定するための両面コピー設定画面７０００（図６参照）を表示させるステップＳ１０００と、両面コピー設定画面７０００に表示される両面コピー設定キーのうちのいずれかが押下されるまで待機するステップＳ１００１と、を含む。
【００７４】
このプログラムはさらに、ステップＳ１００１にて、両面コピー設定キーのうちのいずれかが押下されたと判定された場合（ＹＥＳの場合）に実行され、設定されている綴じ方向、押下されたキー、及びチェックボックス７４００のチェックの有無に基づいて、選択された設定内容を確定するステップＳ１００２を含む。
【００７５】
このプログラムはさらに、押下された両面コピー設定キーの仮想表示灯を、黄色に表示させることで点灯させるステップＳ１００３と、押下された両面コピー設定キーの近傍に表示されるアイコンの表示色を暗くするステップＳ１００４と、確定された設定内容に応じた表示処理を実行するステップＳ１００５と、を含む。ステップＳ１００４において、アイコンは、例えば、黒色及び灰色等の視覚的に認識しにくい色で表示される。ステップＳ１００５において、確定された設定内容が、片面／両面コピー又は両面／片面コピーの場合には、ＨＤＤ３０２から、対応するアニメーション画像が読出され、動画表示領域７５００に対し、読出されたアニメーション画像が動画表示される。一方、確定された設定内容が、片面／片面コピー又は両面／両面コピーの場合には、動画表示領域７５００には、何も表示されない。
【００７６】
このプログラムはさらに、両面コピー設定画面７０００に表示される両面コピー設定キーのうちのいずれかが押下されるまで待機するステップＳ１００６と、ステップＳ１００６にて、両面コピー設定キーのうちのいずれかが押下されたと判定された場合（ＹＥＳの場合）に実行され、押下された両面コピー設定キー及びチェックボックス７４００のチェックの有無が、前回操作されたものとは異なるか否かを判定するステップＳ１００７と、を含む。ステップＳ１００７にて、押下された両面コピー設定キー及びチェックボックス７４００のチェックの有無が、前回操作されたものとは異なると判定された場合（ＹＥＳの場合）には、制御はステップＳ１００２に戻る。
【００７７】
このプログラムはさらに、ステップＳ１００７にて、押下された両面コピー設定キー及びチェックボックス７４００のチェックの有無が、前回操作されたものと同じであると判定された場合（ＮＯの場合）に実行され、所定時間内にリセットキー（本実施の形態では、タスクトリガー領域５０００に表示されるクリアオールキー５１０４）が押下されたか否かを判定するステップＳ１００８を含む。
【００７８】
このプログラムはさらに、ステップＳ１００８にて、所定時間内にリセットキーが押下されたと判定された場合（ＹＥＳの場合）に実行され、両面コピー機能を、デフォルト設定である片面／片面コピーに最終確定するステップＳ１００９と、ステップＳ１００８にて、所定時間内にリセットキーが押下されていないと判定された場合（ＮＯの場合）に実行され、両面コピー機能を、ステップＳ１００２にて確定された設定内容に最終確定するステップＳ１０１０と、を含む。
【００７９】
なお、本プログラムは、ユーザによって閉じるボタン７４０２が押下された場合には終了する。
【００８０】
〈動作〉  
図１〜図１６を参照して、画像形成装置１００は、以下のように動作する。以下の動作を除く、画像形成装置１００の一般的な動作は、従来の画像形成装置の動作と同じである。なお、以下の動作において、画像形成装置１００は、電源が投入された状態であるものとする。
【００８１】
ユーザは、表示操作部１４０のホームキー１４８を押下する。ホームキー１４８が押下されると、表示パネル１３２には、ホーム画面（図示せず。）が表示される。ユーザは、ホーム画面に表示される、コピーモードを選択するためのソフトウェアキーを押下する。コピーモードを選択するためのソフトウェアキーが押下されると、表示パネル１３２には、コピーモード基本画面６０００（図５参照）が表示される。
【００８２】
ユーザは、コピーモード基本画面６０００を確認し、必要であれば、各種設定キーに対する入力操作を行なうことで、コピーモードに関する各種機能の設定変更を行なう。本実施の形態において、ユーザは、機能選択領域２０００に表示される、コピー部数を変更するためにキー２１００を押下する。キー２１００が押下されると、コピーモード基本画面６０００の前面には、コピー部数を変更するための仮想テンキー群等を含むコピー部数設定画面（図示せず。）が表示される。ユーザは、コピー部数設定画面に対する入力操作によって、所望のコピー部数（本実施の形態では、１４部）を設定する。このとき、ユーザによって綴じ方向の設定変更がなされないため、綴じ方向は、デフォルト設定である横綴じに設定されているものとする。
【００８３】
ユーザはさらに、機能選択領域２０００に表示される、両面コピー機能を設定するためのキー２１１２を押下する。キー２１１２が押下されると、コピーモード基本画面６０００の前面には、両面コピー機能を設定するための両面コピー設定画面７０００（図６参照）が表示される（ステップＳ１０００）。
【００８４】
ユーザは、両面コピー設定画面７０００に表示される、片面／両面コピーを設定するための片面／両面キー７１０２を押下する。このとき、チェックボックス７４００に対するチェックは行なわれていないものとする。片面／両面キー７１０２が押下されると（ステップＳ１００１にてＹＥＳ）、ＣＰＵ３００は、設定されている綴じ方向、押下されたキー、及びチェックボックス７４００のチェックの有無に基づいて、選択された設定内容を確定する（ステップＳ１００２）。この場合、選択された設定内容として、横綴じ用の片面／両面コピーが確定される。
【００８５】
設定内容を確定すると、ＣＰＵ３００は、押下された片面／両面キー７１０２の仮想表示灯７３０２を、黄色に表示させることで点灯させるとともに（ステップＳ１００３）、押下された片面／両面キー７１０２の近傍に表示されるアイコン７２０２の表示色を暗く（本実施の形態では、灰色に）する（ステップＳ１００４）。
【００８６】
ＣＰＵ３００はさらに、確定された設定内容に応じた表示処理を実行する（ステップＳ１００５）。この場合、確定された設定内容は、横綴じ用片面／両面コピーであるので、ＣＰＵ３００は、ＨＤＤ３０２から、横綴じ用の片面／両面コピー用アニメーション画像を読出し、動画表示領域７５００に対し、アニメーション画像の最初の画像を表示させる（図８参照）。図８を参照して、アニメーション画像の最初の画像は、アイコン７２０２が拡大された画像である。ＣＰＵ３００はさらに、動画表示領域７５００に表示されるアニメーション画像を動画表示させる。図９を参照して、動画表示領域７５００には、横綴じ用の片面／両面コピー用アニメーション画像が、図９（Ａ）〜図９（Ｆ）の順で動画表示された後、図９（Ｆ）〜図９（Ａ）の順で動画表示される。このアニメーション画像によって、記録用紙の両面に印刷される画像の状態が、詳細に示される。この一連の動画表示が終了すると、アニメーション画像は動画表示領域７５００から消去される。
【００８７】
ユーザは、横綴じ用の片面／両面コピー用アニメーション画像を確認した後、両面コピー設定画面７０００に表示されるチェックボックス７４００をチェックし、再度片面／両面キー７１０２を押下する。片面／両面キー７１０２が押下されると（Ｓ１００６にてＹＥＳ）、ＣＰＵ３００は、押下された両面コピー設定キー及びチェックボックス７４００のチェックの有無が、前回操作されたものとは異なるか否かを判定する（ステップＳ１００７）。この場合、押下された両面コピー設定キーは、前回押下されたキーと同じであるが、チェックボックス７４００のチェックの有無が前回とは異なるので、ＣＰＵ３００は、押下された両面コピー設定キー及びチェックボックス７４００のチェックの有無が、前回操作されたものとは異なると判定する（ステップＳ１００７にてＹＥＳ）。そして、設定されている綴じ方向、押下されたキー、及びチェックボックス７４００のチェックの有無に基づいて、選択された設定内容を確定する（ステップＳ１００２）。この場合、選択された設定内容として、横綴じ用の片面／両面コピー及び１８０度回転コピーが確定される。
【００８８】
設定内容を確定すると、ＣＰＵ３００は、押下された片面／両面キー７１０２の仮想表示灯７３０２を、黄色に表示させることで点灯させるとともに（ステップＳ１００３）、押下された片面／両面キー７１０２の近傍に表示されるアイコン７２０２の表示色を暗く（本実施の形態では、灰色に）する（ステップＳ１００４）。
【００８９】
ＣＰＵ３００はさらに、確定された設定内容に応じた表示処理を実行する（ステップＳ１００５）。この場合、確定された設定内容は、横綴じ用の片面／両面コピー及び１８０度回転コピーであるので、ＣＰＵ３００は、ＨＤＤ３０２から、横綴じ用の片面／両面コピー及び１８０度回転コピー用アニメーション画像を読出し、動画表示領域７５００に対し、アニメーション画像の最初の画像を表示させる（図１０参照）。図１０を参照して、アニメーション画像の最初の画像は、アイコン７２０２が拡大された画像である。ＣＰＵ３００はさらに、動画表示領域７５００に表示されるアニメーション画像を動画表示させる。図１１を参照して、動画表示領域７５００には、横綴じ用の片面／両面コピー及び１８０度回転コピー用アニメーション画像が、図１１（Ａ）〜図１１（Ｆ）の順で動画表示された後、図１１（Ｆ）〜図１１（Ａ）の順で動画表示される。このアニメーション画像によって、記録用紙の両面に印刷される画像の状態が、詳細に示される。この一連の動画表示が終了すると、アニメーション画像は動画表示領域７５００から消去される。
【００９０】
ユーザは、横綴じ用の片面／両面コピー及び１８０度回転コピー用アニメーション画像を確認した後、両面コピー設定画面７０００に表示される、両面／片面コピーを設定するための両面／片面キー７１０６を押下する。このとき、チェックボックス７４００に対するチェックは行なわれていないものとする。両面／片面キー７１０６が押下されると（Ｓ１００６にてＹＥＳ）、ＣＰＵ３００は、押下された両面コピー設定キー及びチェックボックス７４００のチェックの有無が、前回操作されたものとは異なるか否かを判定する（ステップＳ１００７）。この場合、押下された両面コピー設定キーは前回押下されたキーとは異なり、チェックボックス７４００のチェックの有無も前回とは異なるので、ＣＰＵ３００は、押下された両面コピー設定キー及びチェックボックス７４００のチェックの有無が、前回操作されたものとは異なると判定する（ステップＳ１００７にてＹＥＳ）。そして、設定されている綴じ方向、押下されたキー、及びチェックボックス７４００のチェックの有無に基づいて、選択された設定内容を確定する（ステップＳ１００２）。この場合、選択された設定内容として、横綴じ用の両面／片面コピーが確定される。
【００９１】
設定内容を確定すると、ＣＰＵ３００は、押下された両面／片面キー７１０６の仮想表示灯７３０６を、黄色に表示させることで点灯させるとともに（ステップＳ１００３）、押下された両面／片面キー７１０６の近傍に表示されるアイコン７２０６の表示色を暗く（本実施の形態では、灰色に）する（ステップＳ１００４）。
【００９２】
ＣＰＵ３００はさらに、確定された設定内容に応じた表示処理を実行する（ステップＳ１００５）。この場合、確定された設定内容は、横綴じ用の両面／片面コピーであるので、ＣＰＵ３００は、ＨＤＤ３０２から、横綴じ用の両面／片面コピー用アニメーション画像を読出し、動画表示領域７５００に対し、アニメーション画像の最初の画像を表示させる（図１２参照）。図１２を参照して、アニメーション画像の最初の画像は、アイコン７２０６が拡大された画像である。ＣＰＵ３００はさらに、動画表示領域７５００に表示されるアニメーション画像を動画表示させる。図１３を参照して、動画表示領域７５００には、横綴じ用の両面／片面コピー用アニメーション画像が、図１３（Ａ）〜図１３（Ｃ）の順で動画表示された後、図１３（Ｃ）〜図１３（Ａ）の順で動画表示される。このアニメーション画像によって、１枚の両面原稿における２つの画像が、２枚の記録用紙の片面にそれぞれ印刷される状態が詳細に示される。この一連の動画表示が終了すると、アニメーション画像は動画表示領域７５００から消去される。
【００９３】
ユーザは、横綴じ用の両面／片面コピー用アニメーション画像を確認した後、両面コピー設定画面７０００に表示されるチェックボックス７４００をチェックし、再度両面／片面キー７１０６を押下する。両面／片面キー７１０６が押下されると（Ｓ１００６にてＹＥＳ）、ＣＰＵ３００は、押下された両面コピー設定キー及びチェックボックス７４００のチェックの有無が、前回操作されたものとは異なるか否かを判定する（ステップＳ１００７）。この場合、押下された両面コピー設定キーは、前回押下されたキーと同じであるが、チェックボックス７４００のチェックの有無が前回とは異なるので、ＣＰＵ３００は、押下された両面コピー設定キー及びチェックボックス７４００のチェックの有無が、前回操作されたものとは異なると判定する（ステップＳ１００７にてＹＥＳ）。
【００９４】
そして、設定されている綴じ方向、押下されたキー、及びチェックボックス７４００のチェックの有無に基づいて、選択された設定内容を確定する（ステップＳ１００２）。この場合、選択された設定内容として、横綴じ用の両面／片面コピー及び１８０度回転コピーが確定される。
【００９５】
設定内容を確定すると、ＣＰＵ３００は、押下された両面／片面キー７１０６の仮想表示灯７３０６を、黄色に表示させることで点灯させるとともに（ステップＳ１００３）、押下された両面／片面キー７１０６の近傍に表示されるアイコン７２０６の表示色を暗く（本実施の形態では、灰色に）する（ステップＳ１００４）。
【００９６】
ＣＰＵ３００はさらに、確定された設定内容に応じた表示処理を実行する（ステップＳ１００５）。この場合、確定された設定内容は、横綴じ用の両面／片面コピー及び１８０度回転コピーであるので、ＣＰＵ３００は、ＨＤＤ３０２から、横綴じ用の両面／片面コピー及び１８０度回転コピー用アニメーション画像を読出し、動画表示領域７５００に対し、アニメーション画像の最初の画像を表示させる（図１４参照）。図１４を参照して、アニメーション画像の最初の画像は、アイコン７２０６が拡大された画像である。ＣＰＵ３００はさらに、動画表示領域７５００に表示されるアニメーション画像を動画表示させる。図１５を参照して、動画表示領域７５００には、横綴じ用の両面／片面コピー及び１８０度回転コピー用のアニメーション画像が、図１５（Ａ）〜図１５（Ｈ）の順で動画表示される。このアニメーション画像によって、１枚の両面原稿における２つの画像が、２枚の記録用紙の片面にそれぞれ印刷される状態が詳細に示される。この一連の動画表示が終了すると、アニメーション画像は動画表示領域７５００から消去される。
【００９７】
ユーザは、横綴じ用の両面／片面コピー用アニメーション画像を確認した後、再度両面／片面キー７１０６を押下する。このとき、チェックボックス７４００はチェックされたままであるものとする。両面／片面キー７１０６が押下されると（Ｓ１００６にてＹＥＳ）、ＣＰＵ３００は、押下された両面コピー設定キー及びチェックボックス７４００のチェックの有無が、前回操作されたものとは異なるか否かを判定する（ステップＳ１００７）。
【００９８】
この場合、押下された両面コピー設定キーは、前回押下されたキーと同じであり、チェックボックス７４００のチェックの有無も前回と同じであるので、ＣＰＵ３００は、押下された両面コピー設定キー及びチェックボックス７４００のチェックの有無が、前回操作されたものと同じであると判定する（ステップＳ１００７にてＮＯ）。ＣＰＵ３００はさらに、所定時間内にリセットキー（本実施の形態では、タスクトリガー領域５０００に表示されるクリアオールキー５１０４）が押下されていないと判定し（ステップＳ１００８にてＮＯ）、両面コピー機能を、選択された設定内容として確定されている、横綴じ用の両面／片面コピー及び１８０度回転コピーに最終確定する（ステップＳ１０１０）。
【００９９】
なお、ユーザによって、所定時間内にリセットキー（本実施の形態では、タスクトリガー領域５０００に表示されるクリアオールキー５１０４）が押下された場合には（ステップＳ１００８にてＹＥＳ）、ＣＰＵ３００は、両面コピー機能を、デフォルト設定である片面／片面コピーに最終確定する（ステップＳ１００９）。
【０１００】
上記のようにして、両面コピー機能の設定変更を行なった後、ユーザは、タスクトリガー領域５０００に表示されるスキャンインキー５１０２、モノクロスタートキー５１０６、又は、カラースタートキー５１０８のいずれかを押下することによって、所望の処理（スキャンイン処理、モノクロコピー処理、又は、カラーコピー処理）を実行する。
【０１０１】
なお、上記動作において、ユーザによって、片面／片面キー７１００又は両面／両面キー７１０４が押下された場合には、ＣＰＵ３００は、確定された設定内容に応じた表示処理としては特に何も実行せず、したがって、動画表示領域７５００には何も表示されない。
【０１０２】
また、上記動作において、ユーザによって、綴じ方向の設定変更が予め行なわれた場合（すなわち、縦綴じが設定された場合）には、ＣＰＵ３００は、対応するアニメーション画像として縦綴じ用の画像を読出して、動画表示領域７５００に対して表示させる。例えば、確定された設定内容が、縦綴じ用の片面／両面コピー及び１８０度回転コピーである場合には、ＣＰＵ３００は、ＨＤＤ３０２から、縦綴じ用の片面／両面コピー及び１８０度回転コピー用アニメーション画像を読出し、動画表示領域７５００に対し、アニメーション画像の最初の画像を表示させる（図１０参照）。図１０を参照して、アニメーション画像の最初の画像は、アイコン７２０６が拡大された画像である。ＣＰＵ３００はさらに、動画表示領域７５００に表示されるアニメーション画像を動画表示させる。図１６を参照して、動画表示領域７５００には、縦綴じ用の片面／両面コピー及び１８０度回転コピー用のアニメーション画像が、図１６（Ａ）〜図１６（Ｆ）の順で動画表示された後、図１６（Ｆ）〜図１６（Ａ）の順で動画表示される。このアニメーション画像によって、記録用紙の両面に印刷される画像の状態が、詳細に示される。この一連の動画表示が終了すると、アニメーション画像は動画表示領域７５００から消去される。上記したように、確定された設定内容が横綴じ用の片面／両面コピーである場合には、アニメーション画像において、両面コピー後の記録用紙の状態を示す画像は横方向に回転される（図９、図１１参照）。一方、確定された設定内容が縦綴じ用の片面／両面コピーである場合には、アニメーション画像において、両面コピー後の記録用紙の状態を示す画像は縦方向に回転される（図１６参照）。これによって、ユーザは、印刷後の両面印刷物の見開き方向を容易に理解することができる。
【０１０３】
〈作用・効果〉  
上記実施の形態によれば、操作ユニット１２０は、複数の処理を実行する画像形成装置１００に備えられる操作装置である。操作ユニット１２０において、表示パネル１３２は、複数の処理（片面／片面コピー処理、片面／両面コピー処理、両面／両面コピー処理、及び両面／片面コピー処理）の各々に対応し、複数の処理のうちのいずれかを選択するための複数のソフトウェアキー（両面コピー設定キー７１００〜７１０６）が表示される静止画表示領域を含む両面コピー設定画面７０００を表示し、タッチパネル１３４は、複数のソフトウェアキーに対する入力操作を受付け、ＣＰＵ３００は、タッチパネル１３４が入力操作を受付けたことに応答して、両面コピー設定画面７０００における静止画表示領域とは異なる動画表示領域７５００に対し、選択された処理の内容を示す画像を所定の状態で表示させる。
【０１０４】
このように、上記した複数の処理のうちのいずれかが選択された場合に、静止画表示領域とは異なる動画表示領域７５００に対し、選択された処理の内容を示す画像が所定の状態で表示されるので、ユーザは、選択された処理の内容を容易に理解することができる。
【０１０５】
また上記実施の形態によれば、ＣＰＵ３００は、片面／両面コピー処理及び両面／片面コピー処理のうちのいずれかが選択された場合には、動画表示領域７５００に対し、選択された処理の内容を示すアニメーション画像を動画表示させる。これによって、選択された処理の内容が詳細に表示されるので、ユーザは、選択された処理の内容をより一層容易に理解することができる。
【０１０６】
より詳細には、ＣＰＵ３００は、片面／両面コピー処理が選択された場合（片面／両面キー７１０２が押下された場合）には、選択された処理の内容を示す画像として、記録用紙の両面に印刷される画像の状態を示す画像を、動画表示させる（図９、図１１、及び、図１６参照）。両面／片面コピー処理が選択された場合（両面／片面キー７１０６が押下された場合）には、選択された処理の内容を示す画像として、１枚の両面原稿における２つの画像が、２枚の記録用紙の片面にそれぞれ印刷される状態を示す画像を、動画表示させる（図１３、図１５参照）。これによって、ユーザは、アイコン表示では理解しにくい片面／両面コピー処理及び両面／片面コピー処理の内容を、容易に理解することができるようになる。その結果、ユーザの利便性がさらに向上する。
【０１０７】
また上記実施の形態によれば、静止画表示領域における両面コピー設定キー７１００〜７１０６の近傍には、当該両面コピー設定キー７１００〜７１０６に対応する処理の内容を示すアイコン７２００〜７２０６が表示される。これによって、ユーザは、アイコン７２００〜７２０６を確認することで、所望の処理を選択する前に、両面コピー設定キー７１００〜７１０６に対応する処理の内容を確認することができる。したがって、ユーザの利便性が向上する。
【０１０８】
また上記実施の形態によれば、選択された処理の内容を示す画像は、対応する処理の内容を示すアイコン７２０２，７２０６が拡大された画像を含む（図８、図１０、図１２、及び図１４参照）。これによって、選択された処理の内容がより判りやすくなるので、ユーザは、選択された処理の内容をより一層容易に理解することができる。
【０１０９】
また上記実施の形態によれば、ＣＰＵ３００は、タッチパネル１３４が両面コピー設定キー７１００〜７１０６に対する入力操作を受付けたことに応答して、アイコン７２００〜７２０６の表示色を暗くする。これによって、複数の処理のうちのいずれかが選択された場合には、ユーザは、アイコン７２００〜７２０６ではなく、所定の状態で表示される、選択された処理の内容を示す画像に注目しやすくなる。したがって、ユーザは、選択された処理の内容をより一層理解しやすくなる。
【０１１０】
なお、両面コピー設定キー７１００〜７１０６に対する入力操作を受付けた場合には、対応するアイコン７２００〜７２０６は視覚的に認識しにくい所定の状態で表示されればよい。したがって、本発明は、アイコン７２００〜７２０６の表示色を暗くする上記した実施の形態に限定されない。例えば、アイコン７２００〜７２０６を消去してもよいし、アイコン７２００〜７２０６の表示濃度を薄くしてもよい。
【０１１１】
また上記実施の形態によれば、コピーモード基本画面６０００には、選択された処理に対して所定の処理（綴じ方向）を追加するための綴じ方向設定キー（図示せず。）が表示され、両面コピー設定画面７０００には、選択された処理に対して所定の処理（１８０度回転コピー処理）を追加するためのチェックボックス７４００が表示され、ＣＰＵ３００は、追加された処理の内容を、アニメーション画像に対して反映させる。これによって、ユーザは追加された処理の内容を容易に理解することができる。したがって、ユーザの利便性がさらに向上する。
【０１１２】
また上記実施の形態によれば、動画表示領域７５００は、静止画表示領域の近傍に設けられる。これによって、ユーザは、選択された処理の内容を示す画像をより一層認識しやすくなる。
【０１１３】
また上記実施の形態によれば、画像形成装置１００は、画像データに対する画像処理を含む複数の処理を実行する画像形成装置であって、上記した操作ユニット１２０と、操作ユニット１２０にて選択された処理を実行する画像形成部１０４、ＦＡＸ通信部１６０、及びネットワークＩ／Ｆ３０４と、を含む。このように、画像形成装置１００は、操作ユニット１２０を含むので、ユーザによって所望の処理とは異なる処理が誤って選択されること（例えば、ミスコピー等）を防ぐことができ、ユーザは、所望の処理を容易に実行させることができる。
【０１１４】
〈変形例〉  
上記実施の形態では、ステップＳ１００５にて確定された設定内容が、片面／片面コピー又は両面／両面コピーの場合には、動画表示領域７５００には何も表示されず、対応するアイコン７２００，７２０４は暗い色で表示されたが、本発明はそのような実施の形態に限定されない。例えば、動画表示領域７５００には何も表示されず、アイコン７２００，７２０４は元の表示状態（すなわち、明るい色）で表示されてもよい。
【０１１５】
また上記実施の形態において、アニメーション画像は、所定の順序で１回のみ動画表示されたが、本発明はそのような実施の形態に限定されない。例えば、所定回数繰返し動画表示された後、停止してもよい。
【０１１６】
また上記実施の形態では、片面／両面コピー処理及び両面／片面コピー処理の内容を示す画像を動画表示させることで、対応する処理の内容を詳細に示したが、本発明はそのような実施の形態に限定されない。例えば、表示色の変化等によって処理内容の違いを示すことで、対応する処理の内容を詳細に示してもよい。
【０１１７】
また上記実施の形態では、両面コピー設定キー７１００〜７１０６のいずれが押下された場合においても、ほぼ同じ位置にアニメーション画像が表示されたが、本発明はそのような実施の形態に限定されない。アニメーション画像は、ユーザが認識しやすい位置であれば、どこに表示されてもかまわない。
【０１１８】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１１９】
１００  画像形成装置
１０４  画像形成部
１２０  操作ユニット
１３２  表示パネル
１３４  タッチパネル
１６０  ＦＡＸ通信部
３００  ＣＰＵ
３０４  ネットワークＩ／Ｆ
６０００  コピーモード基本画面
７０００  両面コピー設定画面
７１００〜７１０６  両面コピー設定キー
７２００〜７２０６  アイコン
７４００  チェックボックス
７５００  動画表示領域
【図１】
0005271328.tif 000002
【図２】
0005271328.tif 000003
【図３】
0005271328.tif 000004
【図４】
0005271328.tif 000005
【図５】
0005271328.tif 000006
【図６】
0005271328.tif 000007
【図７】
0005271328.tif 000008
【図８】
0005271328.tif 000009
【図９】
0005271328.tif 000010
【図１０】
0005271328.tif 000011
【図１１】
0005271328.tif 000012
【図１２】
0005271328.tif 000013
【図１３】
0005271328.tif 000014
【図１４】
0005271328.tif 000015
【図１５】
0005271328.tif 000016
【図１６】
0005271328.tif 000017